【手続補正書】
【提出日】平成24年3月29日(2012.3.29)
【手続補正１】
【補正対象書類名】明細書
【補正対象項目名】０００８
【補正方法】変更
【補正の内容】
【０００８】
タッチパネルにおいて、ユーザが検出面を触ってから、その接触を検出するまでの遅れを感じることがある。この遅れが大きいと操作性が悪く、また、アプリケーションによっては、この遅れを極めて小さくすることが要求される。実行命令が発行されてからその命令の実行が完了するまでの遅延時間をレイテンシィと呼び、操作性向上のためにレイテンシィの改善が要求されている。
特にタッチセンサの機能を内蔵するときに検出駆動の駆動電極と表示駆動の駆動電極を共用する場合は、検出駆動の周波数を表示駆動の周波数と同期させる必要があることから、表示周波数で規定される速度よりも速くタッチ検出を行うことが難しく、レイテンシィの改善が進まない現状にある。
【手続補正２】
【補正対象書類名】明細書
【補正対象項目名】００１６
【補正方法】変更
【補正の内容】
【００１６】
【図１】第１,第２の実施の形態に関わるタッチセンサ部の動作を説明するための等価回路図と概略断面図である。
【図２】図１に示すタッチセンサ部に指が接触または接近した場合の、同等価回路図と同概略断面図である。
【図３】第１,第２の実施の形態に関わるタッチセンサ部の入出力波形を示す図である。
【図４】第１の実施の形態に関わる表示装置の構成を示す平面図と概略断面図である。
【図５】画素の等価回路図である。
【図６】第１の実施の形態における２倍速スキャン時の模式平面図である。
【図７】第１の実施の形態における３倍速スキャン時の模式平面図である。
【図８】２倍速スキャンの別の表示図である。
【図９】３倍速スキャンの別の表示図である。
【図１０】第２の実施の形態に関わる手法を示す３倍速スキャン時の表示図である。
【図１１】第２の実施の形態に関わる手法を示す４倍速スキャン時の表示図である。
【図１２】第３の実施の形態に関わる手法を示す表示図である。
【図１３】ＦＦＳモード液晶表示装置における、画素電極のパターンと他の配線等の関係を示す概略平面図である。
【図１４】ＦＦＳモード液晶表示装置の液晶駆動を示す説明図である。
【図１５】変形例２に関わり、複数の駆動電極を同時に電位変動させて走査する方式を模式的に示す図である。
【図１６】本発明が適用された液晶表示装置を備えたデジタルスチルカメラを示す斜視図である。
【図１７】本発明が適用された液晶表示装置を備えたノート型パーソナルコンピュータを示す斜視図である。
【図１８】本発明が適用された液晶表示装置を備えたビデオカメラを示す斜視図である。
【図１９】本発明が適用された液晶表示装置を備えた携帯端末装置の開状態と閉状態を示す正面図である。
【手続補正３】
【補正対象書類名】明細書
【補正対象項目名】００４６
【補正方法】変更
【補正の内容】
【００４６】
その一方、このように駆動電極ＤＥを単位とするＶｃｏｍ駆動において、そのシフト動作は、不図示の垂直駆動回路（書き込み駆動走査部）内に設けられた、「検出走査駆動制御部」としての駆動制御部９により行われる。
【手続補正４】
【補正対象書類名】明細書
【補正対象項目名】００７０
【補正方法】変更
【補正の内容】
【００７０】
表示とタッチ検出が同期しているので、これを改善するためには書き込むフレーム周波数を増加する方法が考えられる。
しかながら、書き込む周波数を増加させると書き込み不良や、画像処理等が必要となり（６０[Ｈｚ]の信号から画像を作る必要がある）、大がかりな画像処理や消費電力が大幅に増加する等の不利益がある。
また、タッチパネルの駆動のみを高速にして表示と非同期にする手法も考えられる。しかし、この手法では、表示用の書き込みのタイミングに対して、タッチパネル走査起因に起因するノイズがラインごとに不均一加わることになり、画素への書き込みの状態がラインごとに変化してしまう。これが、人間の目にラインフリッカ等となって見えてしまう。
【手続補正５】
【補正対象書類名】特許請求の範囲
【補正対象項目名】全文
【補正方法】変更
【補正の内容】
【特許請求の範囲】
【請求項１】
表示面と、
前記表示面の外部から視認される画面の表示を制御する表示機能層と、
表示面と対向する面内で一方向に分離して配置された複数の駆動電極と、
前記複数の駆動電極を前記一方向に走査して駆動する表示走査駆動を行うとともに、当該表示走査駆動によってＮ表示画面の表示を行う期間内に、前記複数の駆動電極の全部または一部を連続して走査し駆動する検出走査駆動を、複数回、Ｍ表示画面分（Ｎ,ＭはＮ＜Ｍを満たす任意の自然数）行う駆動制御部と、
前記一方向と異なる他方向に分離して配置され、前記駆動制御部が前記検出走査駆動を行なっているときに前記表示面に対して被検出物が接触または近接すると、当該接触または近接に応答して電気的変化が生じる複数のセンサ線と、
を有する表示装置。
【請求項２】
前記駆動制御部は、前記検出走査駆動の対象となる駆動電極が前記表示走査駆動の対象となる駆動電極に接近するときは、１以上の所定数の駆動電極の検出走査駆動を省略し、表示走査駆動中の駆動電極を飛び越して走査の向きに１つ以上先の駆動電極に対して検出走査駆動を行う
請求項１に記載の表示装置。
【請求項３】
前記表示走査駆動が前記複数の駆動電極の一端の駆動電極から開始して他端の駆動電極に向かって行われる場合、前記駆動制御部は、前記表示走査駆動を開始する前記一端の駆動電極よりも走査の向きに１つ以上先の駆動電極から前記検出走査駆動の走査を開始する
請求項１に記載の表示装置。
【請求項４】
前記検出走査駆動が１画面表示期間で複数回行われる最中に、一の検出走査駆動が終了し、次の検出走査駆動を開始するに際し、前記駆動制御部は、前記複数の駆動電極中において表示走査駆動が直近で行われた駆動電極の位置に応じて、前記次の検出走査駆動を開始する駆動電極を、前記表示走査駆動が直近で行われた駆動電極よりも走査の向きに１つ以上先の駆動電極とするか、前記表示走査駆動を開始する一端の駆動電極とするかを決定する
請求項１に記載の表示装置。
【請求項５】
前記駆動制御部は、前記表示走査駆動を開始する一端の駆動電極から前記次の検出走査駆動を開始したときに表示走査駆動に検出走査駆動が追いつくまでの第２期間よりも、前記表示走査駆動が直近で行われた駆動電極の次の駆動電極から前記次の検出走査駆動を開始したときに当該検出走査駆動が前記複数の駆動電極の他端の駆動電極の駆動を終了するまでの第１期間が短いことが、前記表示走査駆動が直近で行われた駆動電極の前記位置から判断されるときは、前記次の検出走査駆動を、前記表示走査駆動が直近で行われた駆動電極よりも走査の向きに１つ以上先の駆動電極から開始し、前記第２期間よりも第１期間が長いと判断されるときは、前記次の検出駆動の対象を前記一端の駆動電極に戻してから前記次の検出走査駆動を開始する
請求項４に記載の表示装置。
【請求項６】
前記Ｍの値が前記Ｎの値の２倍である
請求項１から５の何れか一項に記載の表示装置。
【請求項７】
前記駆動制御部は、前記表示走査駆動の駆動周波数と前記検出走査駆動の駆動周波数を同じとして、前記検出走査駆動を、前記表示走査駆動の２周期（２回の表示期間）ごとに１回だけ間引いて実行する
請求項１に記載の表示装置。
【請求項８】
前記駆動制御部は、１画面表示期間内に前記表示走査駆動を飛び越し走査で複数回行う
請求項７に記載の表示装置。
【請求項９】
前記駆動制御部は、前記複数の表示走査駆動の各々を前記複数の駆動電極の一端の駆動電極から開始して他端の駆動電極まで行い、１画面表示期間に行う複数の前記検出走査駆動のうち、奇数番目の検出走査駆動を、前記表示走査駆動を開始する前記一端の駆動電極よりも走査の向きに１つ以上先の駆動電極から開始して前記複数の駆動電極の他端の駆動電極まで行い、偶数番目の検出走査駆動を、前記一端の駆動電極から開始して前記他端の駆動電極の１以上手前の駆動電極まで行う
請求項７に記載の表示装置。
【請求項１０】
前記駆動制御部は、前記検出走査駆動を行う場合、前記複数の駆動電極から２以上の所定数の駆動電極を選択して同時駆動し、当該駆動電極の選択と同時駆動を前記一方向内で繰り返す
請求項１から９の何れか一項に記載の表示装置。
【請求項１１】
前記複数のセンサ線と前記複数の駆動電極を含むセンサ部を有し、
前記センサ部は、前記複数のセンサ線の各々が前記複数の駆動電極と静電容量で結合し、前記駆動制御部による駆動中に前記被検出物が接近することにより前記静電容量が変化する静電容量型のセンサ部である
請求項１から９の何れか一項に記載の表示装置。
【請求項１２】
前記表示機能層が液晶層である
請求項１から９の何れか一項に記載の表示装置。
【請求項１３】
表示制御回路が形成された回路基板と、
前記回路基板と対向して配設された対向基板と、
を有し、
前記回路基板に前記複数の駆動電極が形成され、当該駆動電極に複数の画素電極が絶縁層を介して積層され、
前記回路基板の前記複数の画素電極と前記対向基板との間に、画素電極と駆動電極とに電圧を印加すると液晶が横電界モードで駆動される前記表示機能層が配置されている
請求項１２に記載の表示装置。
【請求項１４】
外部から画面が視認される表示面と対向する面内で一方向に分離して配置された複数の駆動電極を、前記一方向に走査して駆動する表示走査駆動を行うとともに、同じ前記複数の駆動電極を、当該複数の駆動電極と容量結合する複数のセンサ線から被検出物の接近による容量結合変化を検出するセンサ検出のために検出走査駆動する駆動ステップを有し、
前記駆動ステップでは、前記表示走査駆動によってＮ表示画面の表示を行う期間内に、前記複数の駆動電極の全部または一部を連続して走査し駆動する検出走査駆動を、複数回、Ｍ表示画面分（Ｎ,ＭはＮ＜Ｍを満たす任意の自然数）行う
表示装置の駆動方法。
【手続補正６】
【補正対象書類名】図面
【補正対象項目名】図６
【補正方法】変更
【補正の内容】
【図６】
2011013760.tif 000001